(57)【特許請求の範囲】
【請求項１】
全体形状が輪状をなし内方へ向けて突出する複数の磁極(2)を有するステータ体(1)と、前記各磁極(2)に第１、第２輪状絶縁カバー(3、4)を介して巻回して設けられたステータ巻線(4A)と、前記第２輪状絶縁カバー(4)の一部にその半径方向に沿って一体に突出して形成され複数の端子ピン(6)を有する端子ピン保持部(5)とを備え、前記各端子ピン(6)は前記端子ピン保持部(5)の各側部(5a、5b)側に複数個ずつ配設され、前記磁極(2)に巻回されたステータ巻線(4A)は前記各端子ピン(6)に接続されるようにした回転検出器用ステータ構造において、
前記端子ピン保持部(5)の各端子ピン(6)の内側位置でかつ前記ステータ体(1)の外径の外側位置には、前記各側部(5a、5b)側に治具ピン(20)を挿入及び離脱させるための挿入孔(21)を１個ずつ有することを特徴とする回転検出器用ステータ構造。
【請求項２】
全体形状が輪状をなし内方へ向けて突出する複数の磁極(2)を有するステータ体(1)と、前記各磁極(2)に第１、第２輪状絶縁カバー(3、4)を介して巻回して設けられたステータ巻線(4A)と、前記第２輪状絶縁カバー(4)の一部にその半径方向に沿って一体に突出して形成され端子ピン(6)を有する端子ピン保持部(5)とを備え、前記各端子ピン(6)は前記端子ピン保持部(5)の各側部(5a、5b)側に複数個ずつ配設され、前記磁極(2)に巻回されたステータ巻線(4)を前記各端子ピン(6)に接続するようにした回転検出器用ステータの巻線巻付方法において、
前記端子ピン保持部(5)の各端子ピン(6)の内側位置でかつ前記ステータ体(1)の外径(1A)の外側に位置すると共に前記各側部(5a、5b)側に形成された挿入孔(21)に治具ピン(20)を挿入し、前記治具ピン(20)の外側を経て前記ステータ巻線(4)の端線(4a)を前記端子ピン(6)に接続した後に前記治具ピン(20)を前記挿入孔(21)から離脱させ、前記磁極(2)と各端子ピン(6)との間の前記ステータ巻線(4)の端線(4a)にたるみ(4aA)を形成させることを特徴とする回転検出器用ステータの巻線巻付方法。
【請求項３】
前記治具ピン(20)は、前記端子ピン保持部(5)とは別体に構成された輪状治具体(22)に設けられていることを特徴とする請求項2記載の回転検出器用ステータの巻線巻付方法。
【発明の詳細な説明】
【０００１】
【発明の属する技術分野】
本発明は、回転検出器用ステータ構造及び回転検出器用ステータの巻線巻付方法に関し、特に、磁極に巻回したステータ巻線の端線を端子ピン保持部に着脱自在とした治具ピンを介して横方向にたるませて端子ピンに巻付け、たるみを簡単に形成させるための新規な改良に関する。
【０００２】
【従来の技術】
従来、用いられていたこの種のステータの巻線巻付時にたるみを形成させる方法としては、例えば、本出願人が出願した米国特許第６０４４５４５号公報（特許日、２０００年４月４日）の図３の構成を図５として挙げることができる。
すなわち、図５において符号１で示されるものは輪状をなすステータ体であり、このステータ体１の内面には内方へ向けて突出する複数の磁極２が形成されている。
【０００３】
前記ステータ体１の一面上には、この各磁極２を覆う形状で輪状をなす輪状絶縁カバー３が設けられ、この輪状絶縁カバー３の一部は半径方向に突出して端子ピン６を有する端子ピン保持部５が形成されている。
【０００４】
前記各磁極２に輪状絶縁カバー３を介して巻回されたステータ巻線４の端線４ａは、この端子ピン６と磁極２との間に介挿された棒部材１０の外周面を経て各端子ピン６に巻付けられることにより、たるみ４ａＡが形成され、この巻付け後に棒部材１０を除去していた。
尚、このたるみ４ａＡを形成させる目的は、外部から加えられた衝撃等によりステータ巻線が断線することを防止するものである。
【０００５】
【発明が解決しようとする課題】
本発明は、以上のように構成されていたため、次のような課題が存在していた。
すなわち、ステータ巻線にたるみを形成させるために棒部材を挿脱させなければならず、自動巻線を行う際にはこの枠部材の挿脱を行うための機構等が必要となり、自動巻線時の障害となっていた。
【０００６】
本発明は、以上のような課題を解決するためになされたもので、特に、磁極に巻回したステータ巻線の端線を端子ピン保持部に着脱自在とした治具ピンを介して横方向にたるませて端子ピンに巻付け、たるみを簡単に形成させるようにした回転検出器用ステータ構造及び回転検出器用ステータの巻線巻付方法を提供することを目的とする。
【０００７】
【課題を解決するための手段】
本発明による回転検出器用ステータ構造は、全体形状が輪状をなし内方へ向けて突出する複数の磁極を有するステータ体と、前記各磁極に第１、第２輪状絶縁カバーを介して巻回して設けられたステータ巻線と、前記第２輪状絶縁カバーの一部にその半径方向に沿って一体に突出して形成され複数の端子ピンを有する端子ピン保持部とを備え、前記各端子ピンは前記端子ピン保持部の各側部側に複数個ずつ配設され、前記磁極に巻回されたステータ巻線は前記各端子ピンに接続されるようにした回転検出器用ステータ構造において、前記端子ピン保持部の各端子ピンの内側位置でかつ前記ステータ体の外径の外側位置には、前記各側部側に治具ピンを挿入及び離脱させるための挿入孔を１個ずつ有する構成であり、また、本発明による回転検出用ステータの巻線巻付方法は、全体形状が輪状をなし内方へ向けて突出する複数の磁極を有するステータ体と、前記各磁極に第１、第２輪状絶縁カバーを介して巻回して設けられたステータ巻線と、前記第２輪状絶縁カバーの一部にその半径方向に沿って一体に突出して形成され端子ピンを有する端子ピン保持部とを備え、前記各端子ピンは前記端子ピン保持部の各側部側に複数個ずつ配設され、前記磁極に巻回されたステータ巻線を前記各端子ピンに接続するようにした回転検出器用ステータの巻線巻付方法において、前記端子ピン保持部の各端子ピンの内側位置でかつ前記ステータ体の外径の外側に位置すると共に前記各側部側に形成された挿入孔に治具ピンを挿入し、前記治具ピンの外側を経て前記ステータ巻線の端線を前記端子ピンに接続した後に前記治具ピンを前記挿入孔から離脱させ、前記磁極と各端子ピンとの間の前記ステータ巻線の端線にたるみを形成させる方法であり、また、前記治具ピンは、前記端子ピン保持部とは別体に構成された輪状治具体に設けられている方法である。
【０００８】
【発明の実施の形態】
以下、図面と共に本発明による回転検出器用ステータ構造及び回転検出器用ステータの巻線巻付方法の好適な実施の形態について説明する。尚、従来例と同一又は同等部分については、同一符号を用いて説明する。
図１において、符号１で示されるものは、全体形状が輪状をなすステータ体であり、このステータ体１の内面には内方に突出して形成された複数の磁極２が設けられている。
【０００９】
前記ステータ体１の両面には、全体各磁極２を覆う状態で輪状に形成された第１、第２輪状絶縁カバー３、４が設けられ、各輪状絶縁カバー３、４を介してステータ巻線４Ａが各磁極２に巻回して設けられている。
前記各磁極２に巻回されたステータ巻線４Ａは、各磁極２を覆うようにステータ体１の両面に設けられた第１、第２輪状巻線カバー１０、１１（完全な輪状でなく、馬跨型の場合も輪状に含めるものとする）が設けられている。
【００１０】
前記第２輪状絶縁カバー４（第１輪状絶縁カバー３でも可）の一部には、その側部５ａ、５ｂ側に配設された複数個ずつの端子ピン６を有する端子ピン保持部５が半径方向に沿って突出して一体に形成されている。
前記端子ピン保持部５の端子ピン６の内側位置でかつステータ体１の外径１Ａの外側位置には、前記各側部５ａ、５ｂ側に後述の治具ピン２０を挿入するための挿入孔２１が１個ずつ形成されている。
【００１１】
次に、前記磁極２に巻回されたステータ巻線４の端線４ａを各端子ピン６にからげて巻付け接続する場合、図３で示されるように前記端子ピン保持部５とは別体に構成された輪状治具体２２に設けられた一対（一対以上も可）の治具ピン２０を図１の端子ピン保持部５の裏面側に配置し、各治具ピン２０を挿入孔２１に貫通させると、各治具ピン６は挿入孔２１から上方へ突出する。
【００１２】
前述の状態で、ステータ巻線４の端線４ａは、各治具ピン２０の外側を経て端子ピン６に巻付けられるため、この治具ピン２０の外側に沿って曲折した形状のたるみ４ａＡが形成される。
この端線４ａの端子ピン６への巻付けが完了した段階で、前記治具ピン２０を挿入孔２１から離脱させると、端線４ａはたるみ４ａＡを有した状態で各端子ピン６に接続される。
【００１３】
尚、前記端子ピン保持部５の端子ピン６がステータ体１の外径１Ａから外側に位置している場合は図１の形態となるが、この端子ピン６が前記外径１Ａに接近又は内側に位置する場合には、挿入孔２１をステータ体１にも形成する必要がある。
尚、前述の各輪状絶縁カバー３、４は、別部品として作りステータ体１に装着しても、あるいは、ステータ体１に対して一体成形としても、何れでも可である。
【００１４】
【発明の効果】
本発明による回転検出器用ステータ構造及び回転検出器用ステータの巻線巻付方法は、以上のように構成されているため、次のような効果を得ることができる。
すなわち、端子ピン保持部に形成された挿入孔に治具ピンを挿入して端子ピンに巻付ける端線に曲折状のたるみを形成し、たるみ形成後は治具ピンを除去することができ、自動巻線機等における巻線時のたるみ形成が極めて確実かつ容易となる。
【図面の簡単な説明】
【図１】  本発明による回転検出器用ステータ構造及び回転検出器用ステータの巻線巻付方法を示す構成図である。
【図２】  図１の治具ピンを除去した状態を示す要部の構成図である。
【図３】  図１で用いる治具ピンを示す斜視図である。
【図４】  図１のステータ構造を示す断面構成図である。
【図５】  従来構成を示す要部の斜視図である。
【符号の説明】
１    ステータ体
２    磁極
３    第１輪状絶縁カバー
４    第２輪状絶縁カバー
４Ａ    ステータ巻線
４ａ    端線
４ａＡ    たるみ
５    端子ピン保持部
５ａ、５ｂ    側部
６    端子ピン
１０    第１輪状巻線カバー
１１    第２輪状巻線カバー
２０    治具ピン
２１    挿入孔
２２    輪状治具体
【図１】
0003638921.tif 000002
【図２】
0003638921.tif 000003
【図３】
0003638921.tif 000004
【図４】
0003638921.tif 000005
【図５】
0003638921.tif 000006